(57)【要約】【課題】商品陳列用フックに取付けられるプライスカード表示具において、軸受け部へのカードホルダーの取付けを容易化しつつ、使用状態でのカードホルダーの外れを防止できる構造を実現する。【解決手段】カードホルダー７の後面に、ブラケット片２２を介して水平姿勢の支軸２３が設けられている。本体２の前端に設けた軸受け部１０は、上下の挟持部２４，２５とその前端を繋ぐジョイント部２６とで構成されて後ろ向きに開口しており、支軸２３は、手前に動かすことによって軸受け部１０に嵌め込まれる。カードホルダー７は手前に引っ張られても外れることはないし、容易に広がるため取付けも容易である。【選択図】図４
2020005782.tif 000002
【特許請求の範囲】
【請求項１】
陳列棚に取り付つく基部から商品を吊支する１本の商品吊支バーだけが前向きに延びているシングルフック、又は、陳列棚に取り付つく基部から商品吊支バーとその上に位置した表示用バーとが前向きに延びている十手フックに使用されるカード類表示具であって、
前記シングルフックの基部又は前記十手フックにおける表示用バーの前端部に取付けられる本体と、前記本体の前端部に取り付けられると共にカード類を保持するカードホルダーとから成っており、
前記カードホルダーの後面に、水平状の支軸を設けている一方、
前記本体の前端に、前記カードホルダーの支軸を前向き移動させることによって当該支軸を上下から挟持する軸受け部が形成されている、
商品陳列フック用カード類表示具。
【請求項２】
前記本体のカードホルダー保持部は、前記カードホルダーの支軸を上下から挟持する上下の挟持部と、前記上下の挟持部の前端に繋がったジョイント部とを備えており、前記上下挟持部の後方に、前記支軸を後ろ向き移動させると当接するストッパーを設けており、従って、前記支軸は、下向き動させてから手前に引くことによって前記上下挟持部で挟持されるようになっている、
請求項１に記載した商品陳列フック用カード類表示具。
【請求項３】
前記カードホルダーは、前記上下の挟持部に水平旋回可能な状態で挟まれており、前記上下挟持部のうちいずれか一方又は両方に、前記カードホルダーを特定の姿勢に保持する複数の姿勢保持手段を設けており、前記上下挟持部を弾性変形させることにより、異なる姿勢の変更が可能になっている、
請求項１又は２に記載した商品陳列フック用カード類表示具。
【発明の詳細な説明】
【技術分野】
【０００１】
本願発明は、商品が吊支されるフックに取り付けて価格やバーコード等の各種情報を表示するカード類表示具に関するものである。
【背景技術】
【０００２】
スーパーマーケットやコンビニエンスストア、ドラッグストア，ホームセンター等の多くの小売り店では、商品を陳列するための方法として、棚本体に装着したフックに商品を吊り下げることが多用されている。
【０００３】
この商品吊り下げ用のフックは、棚本体に水平状に設けた角筒状の桟材に取り付けられる方式と、ネット状の棚本体に取付けられる方式とがあり、また、いずれの方式でも、商品が吊り下げられる商品吊支バーだけが前向きに突出しているシングルフックと呼ばれているタイプと、支持吊支バーの上方にカードホルダーを取り付けるための表示用バーとが配置されている十手フック（２段式フック）と呼ばれているタイプとがある。十手フックにおいて、表示用バーの前端には上向きの起立部が形成されており、この起立部を利用してカードホルダーを取付けている。
【０００４】
シングルフックは単純であるため採用している店舗も多いが、価格を個々の商品に表示しなければならないため、店舗にとって多大の手間が掛かるという問題がある。そこで、シングルフックにプライスカードを取り付けできるようにすることが考えられており、本願出願人は、その例の表示具を特許文献１に開示した。
【０００５】
特許文献１の表示具は、カードホルダーの後面に水平状の支軸を設ける一方、シングルフックの後端部に取り付く本体の前後長手のアームを設けて、アームの前端に、カードホルダーの支軸を挟持する軸受け部が前向きに開口した状態に形成されている。
【０００６】
従って、特許文献１では、カードホルダーの支軸は、前から後ろに向けて移動させることによって軸受け部に嵌め込まれている。また、軸受け部には、平面視で支軸をシングルフックと直交した姿勢と、支軸をシングルフックに対して傾斜させた姿勢とに選択的に保持する姿勢保持手段を設けており、軸受け部の弾性に抗して姿勢変更できるようになっている。
【０００７】
また、十手フック用のカードホルダーとして、本願出願人は、特許文献２を開示した。この特許文献２では、カードホルダーは、十手フックにおける表示用バーの前端部に取り付く本体と、この本体に水平回転可能でかつ跳ね上げ可能に取付けられた表示部とを有している。この特許文献２でも、表示部の背面に水平状の支軸を設ける一方、本体部には、支軸が弾性に抗して嵌め込まれる軸受け部を形成している。
【先行技術文献】
【特許文献】
【０００８】
【特許文献１】特開２００５−１９２５８６号公報
【特許文献２】特許第５２３１７６４号公報
【発明の開示】
【発明が解決しようとする課題】
【０００９】
特許文献１の表示具は、シングルフックに価格表示機能を持たせることができるのみでなく、カードホルダーの姿勢も変更できるため、例えば、商品の幅が小さい場合はカードホルダーを傾斜姿勢にすることで陳列密度を高めることができる等の利点があり、また、特許文献２の表示具は、例えば、表示部を商品吊支バーの前方に配置できるため、表示部が商品吊支バーの前端に人の手などが当たることを防止して、安全性を向上できる利点がある。
【００１０】
しかし、本願発明者が検討したところ、改良の余地が見出された。すなわち、特許文献１，２では、本体に設けた軸受け部は上下の挟持部を備えており、この上下の挟持部が広がり変形することによって支軸の挿脱が可能になっているが、誤ってカードホルダーを手前に強く引っ張るとカードホルダーが外れてしまうおそれがあり、さりとて、外れにくくすると、嵌め込みに大きな力を要するという問題があり、カードホルダーの取付けの容易性と外れにくさとが相反するという問題があった。
【００１１】
本願発明は、特許文献１の考え方を踏襲しつつ、取付け易くて不用意な外力で外れることがないなど、改良された形態のシングルフック用表示具を提供せんとするものである。
【課題を解決するための手段】
【００１２】
本願発明は様々な構成を含んでおり、その典型例を各請求項で特定している。このうち請求項１の発明は上位概念を成すもので、
「陳列棚に取り付つく基部から商品を吊支する１本の商品吊支バーだけが前向きに延びているシングルフック、又は、陳列棚に取り付つく基部から商品吊支バーとその上に位置した表示用バーとが前向きに延びている十手フックに使用されるカード類表示具であって、
前記シングルフックの基部又は前記十手フックにおける表示用バーの前端部に取付けられる本体と、前記本体の前端部に取り付けられると共にカード類を保持するカードホルダーとから成っており、
前記カードホルダーの後面に、水平状の支軸を設けている一方、
前記本体の前端に、前記カードホルダーの支軸を前向き移動させることによって当該支軸を上下から挟持する軸受け部が形成されている」
という構成になっている。
【００１３】
請求項２の発明は請求項１の展開例であり、
「前記本体のカードホルダー保持部は、前記カードホルダーの支軸を上下から挟持する上下の挟持部と、前記上下の挟持部の前端に繋がったジョイント部とを備えており、前記上下挟持部の後方に、前記支軸を後ろ向き移動させると当接するストッパーを設けており、従って、前記支軸は、下向き動させてから手前に引くことによって前記上下挟持部で挟持されるようになっている」
という構成になっている。
【００１４】
請求項３は、請求項１又は２を具体化したもので、
「前記カードホルダーは、前記上下の挟持部に水平旋回可能な状態で挟まれており、前記上下挟持部のうちいずれか一方又は両方に、前記カードホルダーを特定の姿勢に保持する複数の姿勢保持手段を設けており、前記上下挟持部を弾性変形させることにより、異なる姿勢の変更が可能になっている」
という構成になっている。
【発明の効果】
【００１５】
本願発明では、本体の前端に設けた軸受け部は、側面視でおおよそ後ろ向きに開口したコ字形になっており、上下の挟持部は軽い力で上下に広がり変形しやすい。このため、カードホルダーの取付けを軽い力で行うことができる。また、商品を陳列した状態で人が誤ってカードホルダーを手前に引っ張ることがあっても、カードホルダーが外れることはない。
【００１６】
従って、本願発明では、カードホルダーの取付けの容易性を確保しつつ、カードホルダーを意図しない外力が作用しても外れないように保持できる。請求項２の構成を採用すると、カードホルダーに後ろ向きの外力が作用しても、カードホルダーの後退動はストッパーによって阻止されるため、カードホルダーが意図しない外力によって外れることを確実化できる。
【００１７】
請求項３の構成を採用すると、カードホルダーの平面視姿勢を変更できるため、特許文献１と同様に、横幅が小さい商品を高い密度で陳列できる利点や、顧客の通行方向が一定しているときにカードホルダーの表示を視認し易くできる等の利点がある。
【図面の簡単な説明】
【００１８】
【図１】第１実施形態を示す図で、（Ａ）はシングルフックに装着した状態を前から見た斜視図、（Ｂ）はシングルフックから分離した状態の斜視図、（Ｃ）は後ろから見た斜視図、（Ｄ）は正面図である。
【図２】第１実施形態を示す図で、（Ａ）はシングルフックから分離した状態の後方斜視図、（Ｂ）は背面図、（Ｃ）は使用状態での側面図、（Ｄ）は平面図である。
【図３】第１実施形態を示す図で、（Ａ）は底面図、（Ｂ）は分離平面図、（Ｃ）はカードホルダーと本体とを上下に分離した状態での図２（Ｃ）のIIIC-IIIC 視断面図、（Ｄ）は（Ｂ）のＤ−Ｄ視図である。
【図４】第１実施形態を示す図で、（Ａ）は後ろ上方から見た分離斜視図、（Ｂ）は手前から見た分離斜視図、（Ｃ）は後ろ下方から見た分離斜視図である。
【図５】第２実施形態を示す図で、（Ａ）は部分側面図、（Ｂ）は部分平面図、（Ｃ）は（Ａ）のＣ−Ｃ視断面図である。
【図６】第１参考例を示す図で、（Ａ）は後ろから見た斜視図、（Ｂ）は正面図、（Ｃ）は後ろ上方から見た一部省略分離斜視図、（Ｄ）は背面図、（Ｅ）は横から見た一部省略分離斜視図である。
【図７】（Ａ）は第１参考例の左側面図、（Ｂ）は第１参考例の右側面図、（Ｃ）は第１参考例の平面図、（Ｄ）は第１参考例の底面図、（Ｅ）は第２参考例を前から見た斜視図である。
【図８】第２参考例を示す図で、（Ａ）は後ろから見た斜視図、（Ｂ）は正面図、（Ｃ）は背面図、（Ｄ）は平面図、（Ｅ）は底面図である。
【図９】（Ａ）は第２参考例の左側面図、（Ｂ）（Ｃ）（Ｄ）は第２参考例の一部省略分離斜視図、（Ｅ）は本願発明及び参考例のいずれにも適用できる別例図である。
【発明を実施するための形態】
【００１９】
次に、本願発明の実施形態を図面に基づいて説明する。本願発明では前後の方向を使用しているが、前後方向はフックの長手方向であり、フックの突出方向を前としている。なお、本願で開示した形態は意匠登録出願の対象となり得るが、意匠登録出願に添付する図面については、例えば本実施形態及び参考例の左側面図を正面図とすることができる。
【００２０】
(1).第１実施形態の全体と取付け構造
図１〜４で第１実施形態を示している。実施形態に係る表示具１は、シングルフック２に使用される。シングルフック２は、棚本体を構成する角筒状の桟材３に上方から着脱自在に嵌まるベース（ハンガー）４ｂと、ベース４ｂの上面に溶接されて手前に向けて延びる前後長手の吊支バー４ａとから成っている。商品吊支バー４ａの先端部は、水平に対して３０°程度の角度で上向きに傾斜している。ベース４ｂは板金製であり、商品吊支バー４ａは金属線材製である。
【００２１】
表示具１は、シングルフック２に取り付く本体６と、プライスカード等のカード類Ｃを装着するカードホルダー７とで構成されている。本体６は合成樹脂を素材にした一体成形品であり、シングルフック２のベース４ｂの上端部及び商品吊支バー４ａの後端部に弾性に抗して上から嵌め込まれる取付け部８と、取付け部８の上端から手前に向けて延びるアーム９とを備えており、アーム９の前端に、カードホルダー７を取り付けるための軸受け部１０が形成されている。
【００２２】
取付け部８は、商品吊支バー４ａのうちベース４ｂに固着された部分に上から嵌着するドーム部１１と、ドーム部１１に連続した左右のサイドクランプ部１２と、ドーム部１１から立ち上がった起立板１３とを備えており、ドーム部１１の下端に、図１（Ｄ）や図２（Ｂ）等に示すように、商品吊支バー４ａに対して下方から引っ掛かるくびれ部１４を形成している。従って、くびれ部１４を弾性に抗して広がり変形させることにより、取付け部８をシングルフック２の後端部に着脱することができる。
【００２３】
サイドクランプ部１２は、ベース４ｂをきっちり掴持するように側面視で下向き開口コ字形に形成されている。なお、サイドクランプ部１２の下端はベース４ｂの中途高さで止まっているが、ベース４ｂの下端まで延ばして、ベース４ｂの下端面に引っ掛かる係合爪を形成してもよい。
【００２４】
起立板１３の前端にはリブ板１３ａを形成している。従って、起立板１３は平面視Ｔ形の形態を成しており、これにより、厚さをできるだけ均等化しつつ高い剛性を確保している。
【００２５】
アーム９は、取付け部８のリブ板１３ａの左右幅と同じ幅になっており、図３（Ｃ）に示すように、基本的にはカマボコ形としつつ、下面には２本の溝１５を形成している。或いは、下向き開口のＵ形に形成して、中央にリブを形成していると見ることもできる。いずれにしても、厚さを均等化して高い剛性と寸法精度とを確保することができる。
【００２６】
(2).カードホルダーと軸受け部
図４（Ｂ）に示すように、カードホルダー７は、四角形（横長長方形）の樹脂製基板１７とその手前に配置した透明樹脂製のカバー板１８とから成っており、両者の間には、カード類Ｃを挿入できる若干の隙間が空いている。また、基板１７の前面には、カード類Ｃのずれを阻止する上下長手の２本のリブ１９が形成されている。カバー板１８は、基板１７を左右の下方から囲う壁部２０を有しており、左右の壁部２０が、図示しない係合手段によって基板１７の左右側部に固定されている。基板１７の上端部には、カード類Ｃの抜き外しを容易にするため、指先が遊嵌する切欠き溝２１を形成している。
【００２７】
例えば図４の各分図に示すように、カードホルダー７の基板１７の背面には、左右のブラケット片２２を介して左右横長の支軸２３が形成されている。一方、アーム９の前端に設けた軸受け部１０は、カードホルダー７の支軸２３を保持する上下の挟持部２４，２５と、上下挟持部の２４，２５の前端に繋がったジョイント部２６とを備えており、上挟持部２４とアーム９との間には、支軸２３を上下動させ得る空間が空いている。
【００２８】
従って、カードホルダー７の支軸２３は、上挟持部２４とストッパー２８との間の空間に上から嵌め入れ、次いで、手間に移動させる（引く）ことにより、上下挟持部２４，２５で水平姿勢に保持される。これにより、カードホルダー７が軸受け部１０に取付けられる。取り外しは逆の手順で行われる。アーム９の前端は、支軸２３が過剰に後退することを阻止するストッパー２８になっている。
【００２９】
なお、上記ではカードホルダー７を移動させて本体６に取り付ける手順を説明したが、本体６を動かしてカードホルダー７を組み付けることも有り得るし、両方を動かして組み付けることも有り得る（すなわち、本体６とカードホルダー７とは、相対動させて組み付けられる。）。請求項で記載した手順は、使用状態を基準にして方向を特定したものであり、実際の組み付け作業では、本体及びカードホルダー７の姿勢は任意に設定できる。
【００３０】
上挟持部２４は、円の一部を切除した形態になっている。一方、下挟持部２５には円形の逃がし穴２９が空いており、上挟持部２４は、平面視（或いは底面視）で逃がし穴２９の内側に位置する大きさになっている。従って、本体６は、密着・離反する一対の金型（いわゆるキャビとコア）で製造できる。
【００３１】
上挟持部２４の下面は平滑面になっている一方、下挟持部２５の上面には、平面視で支軸２３をアーム９と直交した姿勢に保持する第１係合溝３１と、平面視で支軸２３をアーム９に対して左回りに傾斜させた姿勢に保持する第２係合溝３２と、平面視で支軸２３をアーム９に対して右回りに傾斜させた姿勢に保持する第３係合溝３３とが形成されている。
【００３２】
従って、カードホルダー７は、軸受け部１０の弾性に抗して支軸２３が隣り合った係合溝３１，３２，３３の間の山を乗り越えることにより、表示面を正面に向けた姿勢と、左に向けた姿勢と、右に向けた姿勢との３つの姿勢に保持できる。傾斜姿勢は３０°程度に設定しているが、他の角度に設定することも可能である。また、４つ以上の姿勢に変更できるようにすることも可能であるし、下挟持部２５の上面を細かい波形に形成して、カードホルダー７の姿勢を小刻みに変更できるように構成することも可能である。
【００３３】
下挟持部の外周は円形（真円形）になっており、カードホルダー７をいずれの姿勢にしても、ブラケット片２２が外周縁に上から載るように設定している。従って、カードホルダー７が下向きに倒れることはない。また、支軸２３は円形（真円形）であるため、いずれの姿勢においても上向きに跳ね上げ回動させることができる。従って、商品の出し入れを阻害することはない。
【００３４】
なお、商品の出し入れの容易性のためには、支軸２３が係合溝３１，３２，３３に嵌まった状態で、支軸２３に断線力が作用しないように設定しておくのが好ましい。また、カードホルダー７の大きさは何種類かあり（特に、横幅が相違するものが何種類か存在する）、正方形に近いものも存在する。また、図８（Ｅ）に示すように、カバー板を備えずに、カード類を貼り付けるタイプも存在する。
【００３５】
(3).第１実施形態のまとめ
既述のとおり、本実施形態では、カードホルダー７の支軸２３は、後ろから手前に移動させることで軸受け部１０に取付けられるが、軸受け部１０は側面視で略コ字形になっているため、上下の挟持部２４，２５を容易に広がり変形させることができる。
【００３６】
すなわち、軸受け部１０の広い範囲にわたって曲がり変形させることができるため、応力の集中を防止して、軸受け部１０を軽い力で広がり変形させることができるのであり、その結果、係合溝３１，３２，３３の深さを深くしてカードホルダー７の姿勢保持機能を確保しつつ、折損を招来することなくカードホルダー７を軸受け部１０に容易に着脱できるのである。
【００３７】
また、商品の陳列状態で人が誤ってカードホルダー７を強く引っ張ってもカードホルダー７が外れることは無いし、逆に、誤ってカードホルダー７を後ろに強く押しても、支軸２３がストッパー２８に当たるため、カードホルダー７が外れ落ちることはない。従って、カードホルダー７に意図しない外力が作用しても、カードホルダー７が外れ落ちることはない。
【００３８】
本体の取付け部８は、ドーム部１１によって上向き抜けが阻止されて、サイドクランプ部１２によって前後移動と左右方向の傾きとが阻止されている。このため、安定性に優れている。また、起立板１３はリブ板１３ａを有するＴ形に形成されているため、薄型でありながら、曲がりや捩じりに対して高い抵抗を発揮する。
【００３９】
本願発明は、上記の実施形態の他にも様々に具体化できる。例えば、取付け部８をアーム９とを別の部材で構成して、アーム９を取付け部８に固定するといったことも可能である。すなわち、本体６を複数のパーツで構成することも可能である。
【００４０】
また、姿勢保持手段として突起も採用可能である。また、係合溝や突起のような姿勢保持手段は、上挟持部のみに形成してもよいし、上下挟持部の両方に形成してもよい。アーム９は、円形の丸棒状や角形などに形成することも可能である。上下の挟持部は、平面視で多角形に形成することも可能である。
【００４１】
既に述べたように、本実施形態及び参考例は意匠登録の対象となり得るが、その場合、取付け部８とアーム９とから成る部分を特徴とした部分意匠や、軸受け部１０とカードホルダー７との部分を特徴とした部分意匠として登録を受けることも可能である。
【００４２】
(4).第２実施形態（図５）
図５では、十手フックに適用した第２実施形態を示している。十手フック２′は一般的なものであり、商品吊支バー４ａとその上に配置した前後長手の表示用バー４ｃとを備えており、表示用バー４ｃの前端には起立部４ｄを折り曲げ形成している。商品吊支バー４ａの基端と表示用バー４ｃの基端とは一体に繋がっており、商品吊支バー４ａの後端部が第１実施形態と同様に、ベースの上面に溶接されている（特許文献２と同様である。）。
【００４３】
そして、この実施形態では、本体６は、表示用バー４ｃの起立部４ｄに嵌まる下向き開口の筒状部６ａと、表示用バー４ｃにおける水平状部の前端部に上から嵌まる溝状部６ｂとで側面視Ｌ字に構成されており、本体の前端に、第１実施形態と同様の軸受け部１０を一体に設けている。本体６が水平回動することは溝状部６ｂで阻止されて、本体６が表示用バー４ｃの軸心回りに回動すること、及び、前向きに抜けることは筒状部６ａで阻止される。
【００４４】
溝状部６ｂには、上向きの外力で不要に抜けることを防止するため、一対の内向き突起（くびれ部）６ｃを設けている。また、内向き突起６ｃよりも下方の部分の内面は、下に向けて間隔が広がる傾斜面６ｄになっている。これは、フック２の表示用バー４ｃへの嵌め込みをガイドするためである。
【００４５】
筒状部６ａの上端は天蓋部で塞がっているが、上下に開口させてもよい。この場合は、起立部４ｄの長さの違いを吸収できる。また、筒状部６ａの上端に天蓋部を設ける場合、天蓋部と起立部４ｄとの間に隙間が空くように設定しておくことによっても、起立部４ｄの長さの違いを吸収できる。
【００４６】
この第２実施形態では、カードホルダー７で商品吊支バー４ａの前端をカバーできるため、消費者が誤って商品吊支バー４ａの前端に顔や手を当てることを防止できるが、カードホルダー７は上向きに跳ね上げ回動させることができるため、商品の出し入れには問題はない。
【００４７】
(5).参考例
図６〜図７（Ｄ）では第１参考例を示している。この参考例は、実施形態とは軸受け部３５の形態が相違しており、他の構造は実施形態と同じである。すなわち、この参考例では、軸受け部３５が下向き開口Ｕ形の樋状に形成されており、支軸２３は下方から嵌め込まれる。支軸２３が抜け落ちないように、軸受け部３５の下端には前後のくびれ部３６が形成されている。
【００４８】
また、軸受け部１０の左右端部のうち片方の端部の後端に、カードホルダー７の上向き回動姿勢を規制するストッパー３７が形成されている。すなわち、商品を取り出すに際してカードホルダー７を上向きに跳ね上げ回動させたときに、カードホルダー７が支点越えして跳ね上がった状態になってしまうことを防止している。なお、ストッパー３７は軸受け部１０の左右両側部に設けてもよい。
【００４９】
軸受け部３５は上向きに開口させてもよいが、図示のように下向きに開口した状態に形成すると、本体６を一対の金型で製造するに当たって、くびれ部３６は可動型であるコアで形成されるため、型抜きが容易になる。すなわち、成形に当たっては、先に固定型（キャビ）から製品を抜き外し、次いでコアから製品を突き出すが、くびれ部３６をコアで形成すると、突き出しがキャビから離脱した後で行われるため、型抜きに際して軸受け部３５を容易に変形させることができるのであり、従って、製品を変形させて金型から取り出すいわゆる無理抜きを容易に行える。
【００５０】
図７（Ｅ）〜図９（Ｄ）では、第２参考例を示している。この第２参考例が実施形態と相違している点は、支軸２３を手前から後ろ向き移動させて軸受け部３９に嵌め込む点である。従って、軸受け部３９は前向きに開口している。実施形態と同様に、下挟持部２５に３本の係合溝３１〜３３を形成している。
【００５１】
図５の第２実施形態は、本体６が筒状部６ａと溝状部６ｂとからなるＬ型である点を１つの特徴にしており、既述のとおり、この形態によって表示用バー４ｃに簡単に着脱できる利点があるが、このＬ型の本体６と、図６〜９の参考例の軸受け部と組み合わせて独立した請求項と成すことが可能である。
【産業上の利用可能性】
【００５２】
本願発明は、シングルフック用表示具に具体化できる。従って、産業上利用できる。
【符号の説明】
【００５３】
１  表示具
２  シングルフック
３  陳列装置の一部を構成する桟材
４ａ  商品吊支バー
４ｂ  ベース
４ｃ  表示用バー
４ｄ  起立部
６  本体
６ａ  筒状部
６ｂ  溝状部
７  カードホルダー
８  取付け部
９  アーム
１０  軸受け部
１７  基板
１８  カバー板
２２  ブラケット片
２３  支軸
２４  上挟持部
２５  下挟持部
２７  ジョイント部
２８  ストッパー
２９  逃がし穴
３１，３２，３３  姿勢保持手段の一例としての係合溝
【図１】
2020005782.tif 000003
【図２】
2020005782.tif 000004
【図３】
2020005782.tif 000005
【図４】
2020005782.tif 000006
【図５】
2020005782.tif 000007
【図６】
2020005782.tif 000008
【図７】
2020005782.tif 000009
【図８】
2020005782.tif 000010
【図９】
2020005782.tif 000011